(57)【要約】【課題】患部を十分に冷却することができる程度に、布に冷却剤を保持させることができるとともに、冷却剤を保持させる布を繰り返し使用可能とすることができる冷却液、当該冷却液を含浸させた包帯またはサポーター、および、冷却キットを提供する。【解決手段】冷却液は、布に含浸させて用いられる冷却液であって、気化熱を利用する冷却液と、増粘効果を有する油分とを含有することを特徴とする。そして、冷却液は、包帯２やサポーターに含浸されている。【選択図】図３
2014094025.tif 000002
【特許請求の範囲】
【請求項１】
布に含浸させて用いられる冷却液であって、
気化熱を利用する冷却剤と、増粘効果を有する油分とを含有することを特徴とする冷却液。
【請求項２】
前記冷却剤は、水およびアルコールを含むことを特徴とする請求項１に記載の冷却液。
【請求項３】
前記油分は、ポリオキシエチレン硬化ヒマシ油であることを特徴とする請求項１または請求項２に記載の冷却液。
【請求項４】
前記油分の配合量は、２質量％以上であることを特徴とする請求項３に記載の冷却液。
【請求項５】
前記油分の配合量は、１０質量％未満であることを特徴とする請求項４に記載の冷却液。
【請求項６】
前記冷却剤の動粘度は、４．０８ｍｍ２／ｓ以上であることを特徴とする請求項１から請求項５のいずれか１項に記載の冷却液。
【請求項７】
請求項１から請求項６のいずれか１項に記載の冷却液を含浸させたことを特徴とする包帯。
【請求項８】
請求項１から請求項６のいずれか１項に記載の冷却液を含浸させたことを特徴とするサポーター。
【請求項９】
請求項７に記載の包帯と、
前記包帯を保管するための保管ケースと、
補充用の前記冷却液が入ったリフィールと、を備えることを特徴とする冷却キット。
【請求項１０】
請求項８に記載のサポーターと、
前記サポーターを保管するための保管ケースと、
補充用の前記冷却液が入ったリフィールと、を備えることを特徴とする冷却キット。
【請求項１１】
前記保管ケースには、前記冷却液を補充するときに液量の目安となる目盛りが設けられていることを特徴とする請求項９または請求項１０に記載の冷却キット。
【発明の詳細な説明】
【技術分野】
【０００１】
本発明は、冷却液、冷却液を含浸させた包帯またはサポーター、および、冷却キットに関する。
【背景技術】
【０００２】
一般に、スポーツ時などに生じる筋肉や関節のほてり、または、捻挫や骨折等に対する応急処置として、患部の冷却や圧迫などが行われている。
【０００３】
そして、従来、このような患部の冷却や圧迫を行うための道具として、特許文献１に記載されているような、水の気化熱を利用した帯状のアイシング材が知られている。このアイシング材は、帯状に形成された伸縮性発泡合成樹脂（例えば、ポリウレタン樹脂）からなる基材の細孔部に、水を含有するゲル剤が充填された構成となっており、患部に巻き付けて使用される。
【０００４】
このようなアイシング材においては、ゲル剤が水（冷却剤）を保持しているため、単に基材に水を含浸させた場合に比べ、水を多く含むことができ、患部を長時間冷却することが可能になっている。また、アイシング材は、使用後に水を補充することで、繰り返し使用することができる。
【先行技術文献】
【特許文献】
【０００５】
【特許文献１】特許第２７９５７８２号公報
【発明の概要】
【発明が解決しようとする課題】
【０００６】
しかしながら、上述したアイシング材は、基材中にゲル剤が充填されている構成であるため、洗濯がし難く、また、洗濯を繰り返すことでゲル剤が劣化するおそれがあり、繰り返し使用するのが難しかった。
【０００７】
そこで、本発明は、患部を十分に冷却することができる程度に、布に冷却剤を保持させることができるとともに、冷却剤を保持させる布を繰り返し使用可能とすることができる冷却液、当該冷却液を含浸させた包帯またはサポーター、および、冷却キットを提供することを目的とする。
【課題を解決するための手段】
【０００８】
前記した目的を達成するため、本発明の冷却液は、布に含浸させて用いられる冷却液であって、気化熱を利用する冷却剤と、増粘効果を有する油分とを含有する。
【０００９】
このような冷却液は、増粘効果を有する油分を含有することにより、適度な粘度を有しているので、冷却液を布に含浸したときの液だれを低減し、布に冷却剤をより多く保持させることができる。これにより、患部を十分に冷却することができる程度に、布に冷却剤を保持させることができる。また、冷却液は、粘度を高めることで、ゲル剤等に保持させなくても布に保持されやすくなっているので、布にゲル剤等を設ける必要がなく、布の洗濯が容易であるとともに、布に冷却液を含浸させることで、性能が落ちることなく何度も繰り返し使用することができる。
【００１０】
また、前記した冷却剤は、水およびアルコールを含んでいてもよい。
【００１１】
そして、前記した油分は、ポリオキシエチレン硬化ヒマシ油とすることができる。
【００１２】
また、前記したポリオキシエチレン硬化ヒマシ油の配合量は、２質量％以上とすることができる。そして、前記したポリオキシエチレン硬化ヒマシ油の配合量は、１０質量％未満であるのが望ましい。
【００１３】
また、前記した冷却剤の動粘度は、４．０８ｍｍ２／ｓ以上とすることができる。
【００１４】
そして、前記した目的を達成するため、本発明の包帯は、前記した冷却液を含浸している。
【００１５】
このように構成された包帯によれば、冷却液が、増粘効果を有する油分を含有することにより、適度な粘度を有しているので、冷却液を包帯に含浸したときの液だれを低減し、包帯に冷却剤をより多く保持させることができる。これにより、患部を十分に冷却することができる程度に、包帯に冷却剤を保持させることができる。また、冷却液は、粘度を高めることで、ゲル剤等に保持させなくても包帯に保持されやすくなっているので、包帯にゲル剤等を設ける必要がなく、包帯の洗濯が容易であるとともに、包帯に冷却液を含浸させることで、性能が落ちることなく何度も繰り返し使用することができる。
【００１６】
また、前記した目的を達成するため、本発明のサポーターは、前記した冷却液を含浸している。
【００１７】
このように構成されたサポーターによれば、冷却液が、増粘効果を有する油分を含有することにより、適度な粘度を有しているので、冷却液をサポーターに含浸したときの液だれを低減し、サポーターに冷却剤をより多く保持させることができる。これにより、患部を十分に冷却することができる程度に、サポーターに冷却剤を保持させることができる。また、冷却液は、粘度を高めることで、ゲル剤等に保持させなくてもサポーターに保持されやすくなっているので、サポーターにゲル剤等を設ける必要がなく、サポーターの洗濯が容易であるとともに、サポーターに冷却液を含浸させることで、性能が落ちることなく何度も繰り返し使用することができる。
【００１８】
そして、前記した目的を達成するため、本発明の冷却キットは、前記した包帯と、前記包帯を保管する保管ケースと、補充用の前記冷却液が入ったリフィールと、を備えている。
【００１９】
このように構成された冷却キットによれば、包帯を保管ケースに入れておくことで、包帯を乾かさないように保管することができる。また、包帯が乾いてしまっても、包帯にリフィールに入っている冷却液を含浸させることで、包帯を何度も繰り返し使用することができる。
【００２０】
そして、前記した目的を達成するための、本発明の冷却キットは、前記したサポーターと、前記サポーターを保管するための保管ケースと、補充用の前記冷却液が入ったリフィールと、を備えている。
【００２１】
このように構成された冷却キットによれば、サポーターを保管ケースに入れておくことで、サポーターを乾かさないように保管することができる。また、サポーターが乾いてしまっても、サポーターにリフィールに入っている冷却液を含浸させることで、サポーターを何度も繰り返し使用することができる。
【００２２】
また、前記した保管ケースには、前記冷却液を補充するときに液量の目安となる目盛りが設けられているのが望ましい。
【００２３】
このように構成された冷却キットによれば、適切な量の冷却液を補充することができる。
【発明の効果】
【００２４】
本発明によれば、冷却液が、増粘効果を有する油分を含有することにより、適度な粘度を有しているので、冷却液を布に含浸したときの液だれを低減し、布に冷却剤をより多く保持させることができる。これにより、患部を十分に冷却することができる程度に、布に冷却剤を保持させることができる。また、冷却液は、粘度を高めることで、ゲル剤等に保持させなくても布に保持されやすくなっているので、布にゲル剤等を設ける必要がなく、布の洗濯が容易であるとともに、布に冷却液を含浸させることで、性能が落ちることなく何度も繰り返し使用することができる。
【図面の簡単な説明】
【００２５】
【図１】本発明の一実施形態に係る包帯および冷却液を備える冷却キットを示す斜視図である。
【図２】包帯の一端部を示す斜視図（ａ）と、包帯の他端部を示す斜視図（ｂ）である。
【図３】冷却液の補充の仕方を説明する図である。
【図４】動粘度に関する実験結果を示す表である。
【発明を実施するための形態】
【００２６】
次に、本発明の一実施形態について、適宜図面を参照しながら詳細に説明する。なお、以下の説明においては、まず、本発明の冷却液および包帯２を備える冷却キット１について説明した後、冷却液について詳しく説明する。
【００２７】
＜冷却キット＞
冷却キット１は、スポーツ時などに生じる筋肉や関節のほてり、または、捻挫や骨折等に対する応急処置として、患部の冷却および圧迫を行うときに使用されるものであり、図１に示すように、冷却液を含浸させた包帯２と、包帯２を保管するための保管ケース３と、補充用の冷却液が充填されたリフィール４とを備えている。
【００２８】
包帯２は、いわゆるバンテージと呼ばれる伸縮性のある帯状の布であり、腕や脚等に巻き付けることにより、その部位を適度に圧迫することが可能なように形成されている。
【００２９】
具体的に、包帯２は、腕や脚に巻き付けるのに十分な長さを有している。そして、包帯２は、長さ方向へは伸縮し、幅方向へは伸縮しないように、長さ方向の糸にゴムが使用されている。また、包帯２は、後述する冷却液を適度に保持できる厚みに形成されている。
【００３０】
そして、包帯２は、図２（ａ），（ｂ）に示すように、長さ方向における端部に、仮止め用面ファスナ２１と固定用面ファスナ２２が設けられている。
【００３１】
仮止め用面ファスナ２１は、包帯２の長さ方向における一端部のおもて面に固定されている。この仮止め用面ファスナ２１は、包帯２が患部に対して一周巻かれたときに、包帯２に係合して、包帯２が緩んだりずれたりするのを防止するためのものであり、包帯２の表面に係合可能なフック面となっている。
【００３２】
固定用面ファスナ２２は、包帯２の長さ方向における他端部（仮止め用面ファスナ２１が設けられているのとは反対側の端部）のうら面（仮止め用面ファスナ２１が設けられているのとは反対側の面）に固定されている。この固定用面ファスナ２２は、包帯２が患部にすべて巻き付けられたときに、包帯２に係合して、包帯２の他端部を固定し、ほどけないようにするためのものであり、包帯２の表面に係合可能なフック面となっている。
【００３３】
また、本実施形態においては、固定用面ファスナ２２は、包帯２に広い面積で密着し、しっかりと固定されるように、包帯２の幅とほぼ同じ幅に形成されている。これに対し、仮止め用面ファスナ２１は、包帯２を巻き付ける際の仮止めに利用されるだけなので、包帯２の幅よりも小さく形成されている。
【００３４】
そして、包帯２には、前述したように、冷却液が含浸されている。この冷却液については、後で詳しく説明する。
【００３５】
保管ケース３は、図１および図３に示すように、有底の筒状に形成されたケース本体３１と、ケース本体３１の開口を開閉する蓋３２とから構成されている。
【００３６】
ケース本体３１は、包帯２を収容可能な大きさで形成されている。そして、ケース本体３１の側壁には、包帯２に冷却液を補充するときに、液量の目安となる目盛り３１Ａが設けられている。
【００３７】
蓋３２は、ケース本体３１の開口を閉じたときに、冷却液が漏れない程度に、保管ケース３を密閉できるように形成されている。
【００３８】
リフィール４は、包帯２が乾いたときに、包帯２に冷却液を補充するためのもので、ボトル内に数回分の冷却液が充填されている。
【００３９】
次に、以上のように構成された冷却キット１の使用方法について説明する。
冷却キット１を使用するときには、まず、冷却剤が含浸されている包帯２を取り出し、患部に巻き付ける。
【００４０】
このとき、仮止め用面ファスナ２１が設けられている一端部から仮止め用面ファスナ２１を上にして患部に巻き始めることで、包帯２が仮止め用面ファスナ２１に係止されていったん仮止めされるので、使用者が片手で包帯２を巻き付ける場合であっても、包帯２が緩まず、しっかりと巻き付けることができる。また、包帯２を最後まで巻き付けた後は、固定用面ファスナ２２によって包帯２を固定することができるので、他の固定具を使わなくても固定することができる。
【００４１】
なお、本実施形態においては、仮止め用面ファスナ２１が、固定用面ファスナ２２が設けられているのとは反対側の面に設けられているので、例えば、図２（ａ）に示すように、包帯２がロール状に巻かれている状態であっても、仮止め用面ファスナ２１が設けられている面を上にして巻き始めることで、巻き終わったときに、確実に固定用面ファスナ２２が下向き（包帯２に密着可能な向き）になる。
【００４２】
そして、包帯２を適度な時間、患部に巻き付けておき、患部の冷却および圧迫を行う。包帯２を外した後は、包帯２が乾いてしまわないように、包帯２を保管ケース３にしまう。次回使用するときに、包帯２が乾いていれば、図３に示すように、リフィール４によって、保管ケース３に目盛り３１Ａまで冷却液を注入した後、保管ケース３に包帯２を入れ、包帯２に冷却液を含浸させる。これにより、適切な量の冷却液が包帯２に補充される。
【００４３】
＜冷却液＞
次に、包帯２に含浸させて用いられる冷却液について詳しく説明する。
冷却液は、気化熱を利用する冷却剤と、増粘効果を有する油分とを含有している液体である。
【００４４】
冷却剤は、気化熱によって、包帯２が巻き付けられた患部の冷却をするように配合された液体である。冷却剤は、例えば、水およびアルコールを含んでいる。水とアルコールの配合量は、得たい冷却効果の程度により適宜変更可能であるが、例えば、冷却剤にそれぞれ約５０質量％ずつ配合することができる。そして、この冷却剤の冷却液に対する配合量は、約９０〜９８質量％となっている。
【００４５】
冷却剤に配合されるアルコールは、人体に対する毒性が低く、揮発性が高いものがよく、１種類のアルコールであってもよいし、複数のアルコールの混合物であってもよい。アルコールとしては、例えば、エタノールやイソプロピルアルコールを使用することができる。
【００４６】
油分は、冷却液の粘度を高めるために添加されている。このように、冷却液の粘度を高めることにより、冷却液を包帯２に含浸させたときに、冷却液が包帯２の繊維内に留まりやすく、液だれを低減することが可能となっている。
【００４７】
油分としては、冷却液の粘度を高めることができるものであれば種類は問わない。
そして、油分の配合量は、十分な量の冷却液を包帯２に含浸させることが可能であれば、使用する油分や包帯２等に応じて適宜設定することができる。
【００４８】
例えば、油分としてポリオキシエチレン硬化ヒマシ油を採用することができる。一例として、ポリオキシエチレン硬化ヒマシ油は冷却液に、２質量％以上となるように配合されていることが望ましい。このときの冷却液の動粘度は、４．０８ｍｍ２／ｓ以上となる。また、このポリオキシエチレン硬化ヒマシ油が多すぎると、べたつきが生じてしまうので、ポリオキシエチレン硬化ヒマシ油の配合量は、１０質量％未満であることが望ましい。
【００４９】
なお、冷却液は、上述した冷却剤および油分のほか、必要に応じて、Ｌ−メントール等の清涼剤や香料、その他の添加物を含有していてもよい。
【００５０】
以上のような本実施形態の冷却液によれば、以下のような作用効果を得ることができる。
【００５１】
冷却液が、増粘効果を有する油分を含有することにより、適度な粘度を有しているので、冷却液を包帯２に含浸したときの液だれを低減し、包帯２に冷却剤をより多く保持させることができる。これにより、患部を十分に冷却することができる程度に、包帯２に冷却剤を保持させることができる。
【００５２】
また、冷却液は、粘度を高めることで、従来のようにゲル剤等に保持させなくても包帯２に保持されやすくなっているので、包帯２にゲル剤等を設ける必要がない。これにより、包帯２の洗濯が容易であるとともに、包帯２に冷却液を含浸させることで、性能が落ちることなく何度も繰り返し使用することができる。
【００５３】
そして、本実施形態における冷却液は、エタノールやイソプロピルアルコールを冷却剤として含有しているので、これらのアルコールの殺菌効果により、包帯２を清潔に保つことができる。
【００５４】
以上、本発明の実施形態について説明したが、本発明は前記実施形態に限定されるものではない。具体的な構成については、本発明の趣旨を逸脱しない範囲で適宜変更が可能である。
【００５５】
前記実施形態では、冷却剤が、水およびアルコールを含んでいたが、本発明はこれに限定されるものではない。例えば、冷却剤は、水のみであってもよいし、アルコールのみであってもよい。
【００５６】
そして、前記実施形態では、油分が、ポリオキシエチレン硬化ヒマシ油であったが、本発明はこれに限定されるものではなく、油分は、増粘効果を有し、人体に対する毒性が低いものであれば、どのようなものであってもよい。
【００５７】
また、前記実施形態では、冷却液が含浸される布として、包帯２を例示したが、本発明はこれに限定されるものではない。例えば、冷却液は、サポーターに含浸されて使用されてもよい。また、冷却液を、タオル等の布に含浸させ、このタオルを風邪等の時に使用される濡れタオルとして利用してもよい。
【実施例】
【００５８】
＜冷却液の動粘度＞
次に、油分を加えたときの、冷却液の動粘度を確認した実験について説明する。
【００５９】
１．冷却液
（１）油分
使用した油分は以下の通りである。本実験においては、各実施例において、油分の配合量を１，２，５，１０％としたものを調製した。
［実施例１］  油分  オリーブ油
［実施例２］  油分  ユーカリ油
［実施例３］  油分  ホホバ油
［実施例４］  油分  ヒマシ油
［比較例１］  油分なし
（２）その他の成分
上記した実施例１〜４および比較例１では、冷却剤として、水とアルコールの混合物を使用した。また、添加剤として清涼剤および香料を２質量％となるように配合した。
【００６０】
２．動粘度の測定方法
各冷却液の動粘度は、ウベローデ粘度計を用いて測定した。また、各測定は、２０℃で行った。
【００６１】
３．結果
各冷却液の動粘度を図４の表に示す。この結果から、オリーブ油、ユーカリ油、ホホバ油またはヒマシ油を冷却液に添加することにより、冷却液の動粘度が増加することがわかった。
【００６２】
＜包帯への含浸量の測定＞
次に、冷却液に増粘効果を有する油分を加えることで、包帯への含浸量が増加するか否かを確認した実験について説明する。
【００６３】
１．冷却液
油分を含む実施例５および油分を含まない比較例１の冷却液の成分は、以下の通りである。
［実施例５］
冷却剤  水およびアルコール              ９６質量％
油分    ポリオキシエチレン硬化ヒマシ油    ２質量％
清涼剤・香料                              ２質量％
［比較例１］
冷却剤  実施例５と同様のもの            ９８質量％
清涼剤・香料                              ２質量％
【００６４】
２．包帯
包帯は、以下のものを使用した。
サイズ  幅９０ｍｍ、長さ１ｍ
素材    コットン、ナイロン、合成ゴム
【００６５】
３．包帯への含浸量の測定方法
包帯に冷却液を液だれしない程度に十分に含浸させ、包帯に含浸されている冷却液の重量を測定した。
【００６６】
４．結果
実施例５および比較例１では、それぞれ以下の重量の冷却液を包帯に含浸させることができた。
実施例５（油分：２質量％）：１３８．２ｇ
比較例１（油分：なし）    ：１２９．１ｇ
【００６７】
以上の結果から、冷却液に増粘効果を有する油分（ポリオキシエチレン硬化ヒマシ油）を添加することにより、包帯へ含浸させることができる最大量が増加することが確認できた。
【符号の説明】
【００６８】
１      冷却キット
２      包帯
３      保管ケース
４      リフィール
２１    仮止め用面ファスナ
２２    固定用面ファスナ
【図１】
2014094025.tif 000003
【図２】
2014094025.tif 000004
【図３】
2014094025.tif 000005
【図４】
2014094025.tif 000006